(57)【要約】【課題】筐体を開閉自在に連結するヒンジ部の強度を高くするとともに、筐体の開閉動作の際に筐体を滑らかに回動させること。【解決手段】第１の筐体１０１は、Ｘ方向及びＹ方向に回動する。第２の筐体１０２は、Ｘ方向及びＹ方向に回動する。連結筐体１０３は、第１の筐体１０１と第２の筐体１０２とを連結する。第１のヒンジ部１０４は、金属で構成され、第２の筐体１０２と接続する。第２のヒンジ部１０５は、樹脂で構成され、連結筐体１０３と第１のヒンジ部１０４とを接続する。【選択図】図１
2010245937.tif 000002
【特許請求の範囲】
【請求項１】
第１の筐体と、第２の筐体と、前記第１の筐体と前記第２の筐体とを連結する連結筐体と、を有し、前記第１の筐体と前記第２の筐体とが第１の方向及び第２の方向に回動する折り畳み式携帯端末において、
金属で構成され、前記第２の筐体と接続する第１のヒンジ部と、
樹脂で構成され、前記連結筐体と前記第１のヒンジ部とを接続する第２のヒンジ部と、
を備える折り畳み式携帯端末。
【請求項２】
前記第１の筐体に設けられる第１のグランド部と、
前記第２の筐体に設けられる第２のグランド部と、
前記第１のグランド部及び前記第２のグランド部をグランドとするアンテナと、をさらに有し、
前記第１のヒンジ部は、前記第１のグランド部と前記第２のグランド部とを電気的に接続する請求項１記載の折り畳み式携帯端末。
【発明の詳細な説明】
【技術分野】
【０００１】
本発明は、折り畳み式携帯端末に関し、特に第１の筐体と第２の筐体とが異なる２方向に回動する折り畳み式携帯端末に関する。
【背景技術】
【０００２】
従来、第１の筐体と第２の筐体とが異なる２方向に回動する携帯機器が知られている（例えば、特許文献１）。特許文献１では、メールの送受信を行う場合には、液晶画面を見ながら片手で操作できるように、第１の筐体と第２の筐体とを長手方向に開いて液晶画面と操作部を縦長にするいわゆる縦開き状態にする。また、ＴＶ受信の場合には、液晶画面を横長で使用することができるように、第１の筐体と第２の筐体とを短手方向へ開くいわゆる横開き状態にする。
【０００３】
このように、閉じた状態から縦開き状態または横開き状態にするため、及び縦開き状態または横開き状態から閉じた状態にするために、第１の筐体と第２の筐体とは、ヒンジ部により互いに回動自在に連結されている。また、特許文献１において、ヒンジ部は、ＡＢＳ（AcrylonitrileButadiene Styrene resin）またはＰＣ−ＡＢＳ（Polycarbonate-Acrylonitrile Butadiene Styrene resin）等のプラスチック樹脂を材料として構成されている。
【先行技術文献】
【特許文献】
【０００４】
【特許文献１】特開２００６−２２８９９号公報
【発明の概要】
【発明が解決しようとする課題】
【０００５】
しかしながら、特許文献１においては、樹脂によりヒンジ部を構成するので、ヒンジ部の強度が低いという問題がある。特に、近年の折り畳み式携帯端末の小型化及び薄型化に伴ってヒンジ部も小型化されており、ヒンジ部の強度を従来以上に高くする必要がある。また、折り畳み式携帯端末においては、第１の筐体及び第２の筐体を滑らかに回動させて、ユーザにおける操作感を良好にする必要がある。
【０００６】
本発明はかかる点に鑑みてなされたものであり、筐体を開閉自在に連結するヒンジ部の強度を高くすることができるとともに、筐体の開閉動作の際に筐体を滑らかに回動させることができる折り畳み式携帯端末を提供することを目的とする。
【課題を解決するための手段】
【０００７】
本発明の折り畳み式携帯端末は、第１の筐体と、第２の筐体と、前記第１の筐体と前記第２の筐体とを連結する連結筐体と、を有し、前記第１の筐体と前記第２の筐体とが第１の方向及び第２の方向に回動する折り畳み式携帯端末において、金属で構成され、前記第２の筐体と接続する第１のヒンジ部と、樹脂で構成され、前記連結筐体と前記第１のヒンジ部とを接続する第２のヒンジ部と、を備える構成を採る。
【発明の効果】
【０００８】
本発明によれば、筐体を開閉自在に連結するヒンジ部の強度を高くすることができるとともに、筐体の開閉動作の際に筐体を滑らかに回動させることができる。
【図面の簡単な説明】
【０００９】
【図１】本発明の実施の形態に係る折り畳み式携帯端末の分解斜視図
【図２】本発明の実施の形態に係る第１のヒンジ部と第２のヒンジ部の斜視図
【図３】本発明の実施の形態に係る縦開き状態の折り畳み式携帯端末の平面図
【図４】本発明の実施の形態に係る横開き状態の折り畳み式携帯端末の斜視図
【発明を実施するための形態】
【００１０】
以下、本発明の実施の形態について、図面を参照して詳細に説明する。
【００１１】
（実施の形態）
図１は、本発明の実施の形態に係る折り畳み式携帯端末１００の分解斜視図である。
【００１２】
折り畳み式携帯端末１００は、第１の筐体１０１と、第２の筐体１０２と、連結筐体１０３と、第１のヒンジ部１０４と、第２のヒンジ部１０５とから主に構成される。以下に、各構成について、詳細に説明する。
【００１３】
第１の筐体１０１は、平面視矩形状であり、２つの対向する短辺と２つの対向する長辺とを有する。また、第１の筐体１０１は、図１のＸ方向及びＹ方向の異なる２方向に回動可能に、連結筐体１０３を介して第２の筐体１０２に連結される。また、第１の筐体１０１は、第２の筐体１０２と上下に重なり合う閉じた状態になる。また、第１の筐体１０１は、閉じた状態から、図１のＹ２方向に回動して縦開き状態になり、縦開き状態からＹ１方向に回動して閉じた状態になる。また、第１の筐体１０１は、閉じた状態から、図１のＸ１方向に回動する横開き状態になり、横開き状態からＸ２方向に回動して閉じた状態になる。また、第１の筐体１０１は、図示しない表示部を有し、縦開き状態及び横開き状態の双方において、表示部が外部から視認できる状態になる。
【００１４】
第２の筐体１０２は、平面視矩形状であり、２つの対向する短辺と２つの対向する長辺とを有する。また、第２の筐体１０２は、連結筐体１０３を介して回動可能に第１の筐体１０１に連結される。また、第２の筐体１０２は、回動支点側の短辺の端部から第２の筐体１０２の短手方向の内側に向かって、連結筐体１０３を保持する円柱状の突出部１１０が形成される。また、第２の筐体１０２は、突出部１１０が形成される短辺の略中央の突出部１１０と干渉しない位置に、第１のヒンジ部１０４を保持する保持部１１１が形成される。また、第２の筐体１０２は、図示しないグランド部を有する回路基板１１２を収納する。
【００１５】
連結筐体１０３は、樹脂により形成されており、第１の筐体１０１と第２の筐体１０２とを回動可能に連結する。また、連結筐体１０３は、第１のヒンジ部１０４を収納する空間であるヒンジ収納部１２０と、第２のヒンジ部１０５を収納保持するヒンジ保持部１２１とを有する。また、連結筐体１０３は、突出部１１０を回動可能に保持する保持孔部１２２を有する。
【００１６】
第１のヒンジ部１０４は、導電性を有する金属材料で形成され、第２の筐体１０２の保持部１１１に収納されることにより、第２の筐体１０２に固定された状態で第２の筐体１０２と接続する。また、第１のヒンジ部１０４は、第２のヒンジ部１０５と係合する。また、第１のヒンジ部１０４は、第２の筐体１０２に設けた回路基板１１２のグランド部と第１の筐体１０１に設けた図示しない回路基板に設けたグランド部とを電気的に接続する。なお、第１のヒンジ部１０４の構成の詳細については後述する。
【００１７】
第２のヒンジ部１０５は、絶縁性の樹脂により形成され、連結筐体１０３が回動可能な状態で、連結筐体１０３のヒンジ部保持部１２１に収納される。また、第２のヒンジ部１０５は、第１のヒンジ部１０４と係合することにより、第１のヒンジ部１０４に対して回動しない状態で第１のヒンジ部１０４と連結される。これにより、第２のヒンジ部１０５は、第１のヒンジ部１０４と連結筐体１０３とを接続する。
【００１８】
次に、第１のヒンジ部１０４及び第２のヒンジ部１０５の構成について、図２を用いて説明する。図２は、第１のヒンジ部１０４及び第２のヒンジ部１０５の斜視図である。
【００１９】
最初に、第１のヒンジ部１０４の構成について説明する。
【００２０】
第１のヒンジ部１０４は、接続部２０１と、ツバ部２０２と、ストッパ部２０３と、貫通孔２０４と、円筒部２０５とを有する。
【００２１】
接続部２０１は、第２の筐体１０２に固定されるとともに、第２の筐体１０２の回路基板１１２のグランド部と電気的に接続する。
【００２２】
ツバ部２０２は、後述する円筒部２０５の外周上に外部に突出して形成される。また、ツバ部２０２は、第２のヒンジ部１０５の係合方向Ａの先端部と当接して第２のヒンジ部１０５の係合方向へのストッパになる。
【００２３】
ストッパ部２０３は、第２のヒンジ部１０５の係合方向Ａと反対方向にツバ部２０２から延設される。また、ストッパ部２０３は、第２のヒンジ部１０５と係合することにより、第１のヒンジ部１０４と第２のヒンジ部１０５とが、互いに第１の筐体１０１と第２の筐体１０２の回動方向に回動することを阻止する。
【００２４】
貫通孔２０４は、第２のヒンジ部１０５の係合方向Ａに貫通して形成される。
【００２５】
円筒部２０５は、円筒状であり、第２のヒンジ部１０５の内部に収納される。
【００２６】
次に、第２のヒンジ部１０５の構成について説明する。
【００２７】
第２のヒンジ部１０５は、ツバ部２１０と、円筒部２１１と、切り欠き部２１２とを有する。
【００２８】
ツバ部２１０は、第２のヒンジ部１０５の外周上に設けられ、外部に突出して形成される。
【００２９】
円筒部２１１は、ツバ部２１０から第２のヒンジ部１０５の係合方向Ａ側に設けられる。また、円筒部２１１は、係合方向Ａの先端部が第１のヒンジ部１０４のツバ部２０２と当接して、第２のヒンジ部１０５の係合方向Ａへの移動を阻止する。
【００３０】
切り欠き部２１２は、第２のヒンジ部１０５の係合方向Ａの先端部から係合方向Ａと反対方向に向けて、円筒部２１１の一部を切り欠いて形成する。また、切り欠き部２１２は、第１のヒンジ部１０４のストッパ部２０３と凹凸係合することにより、第２のヒンジ部１０５の第１のヒンジ部１０４に対する回動を阻止する。
【００３１】
次に、折り畳み式携帯端末１００の組み立て方法について、図１及び図２を用いて説明する。
【００３２】
最初に、図２に示すように、第１のヒンジ部１０４と第２のヒンジ部１０５とを組み合わせる。即ち、第１のヒンジ部１０４の円筒部２０５が第２のヒンジ部１０５内に挿入されるとともに、第１のヒンジ部１０４のストッパ部２０３を第２のヒンジ部１０５の切り欠き部２１２に係合することにより第１のヒンジ部１０４と第２のヒンジ部１０５とを組み合わせる。
【００３３】
次に、第２のヒンジ部１０５を連結筐体１０３のヒンジ保持部１２１内に収納するとともに、第１のヒンジ部１０４を連結筐体１０３のヒンジ部収納部１２０内に挿入する。
【００３４】
次に、連結筐体１０３の保持孔部１２２内に第２の筐体１０２の突出部１１０を挿入するとともに、第１のヒンジ部１０４及び第２のヒンジ部１０５を第２の筐体１０２の保持部１１１に保持させる。これにより、連結筐体１０３を第２の筐体１０２に仮保持することができる。
【００３５】
次に、連結筐体１０３を第１の筐体１０１に回動可能に取り付けることにより折り畳み式携帯端末１００の組み立てを終了する。
【００３６】
次に、折り畳み式携帯端末１００の動作について、図１及び図２を用いて説明する。
【００３７】
折り畳み式携帯端末１００の閉じた状態において、第１の筐体１０１を図１の矢印Ｙ１方向に回動させると、第１の筐体１０１の回動に伴って連結筐体１０３が図１の矢印Ｙ１方向に回動する。この際、第１のヒンジ部１０４のストッパ部２０３と第２のヒンジ部１０５の切り欠き部２１２とは係合しているので、第２のヒンジ部１０５は回動しない。また、連結筐体１０３のヒンジ保持部１２１の内周は、第２のヒンジ部１０５の外周上をスライドするが、第２のヒンジ部１０５を樹脂により形成しているので、連結筐体１０３は滑らかに回動することができる。
【００３８】
また、連結筐体１０３の保持孔部１２２の内周は、第２の筐体１０２の突出部１１０の外周に沿って回動するが、連結筐体１０３及び第２の筐体１０２の何れも樹脂により形成されるので、連結筐体１０３は滑らかに回動することができる。
【００３９】
次に、第１の筐体１０１をさらに回動することにより、折り畳み式携帯端末１００は縦開き状態になる。
【００４０】
次に、折り畳み式携帯端末１００の縦開き状態において、第１の筐体１０１を図１の矢印Ｙ２方向に回動させると、第１の筐体１０１の回動に伴って連結筐体１０３が図１の矢印Ｙ２方向に回動する。
【００４１】
この場合も上記と同様に、連結筐体１０３のヒンジ保持部１２１の内周は、第２のヒンジ部１０５の外周上をスライドするが、第２のヒンジ部１０５を樹脂により形成しているので、連結筐体１０３は滑らかに回動することができる。また、連結筐体１０３の保持孔部１２２の内周は、第２の筐体１０２の突出部１１０の外周に沿って回動するが、連結筐体１０３及び第２の筐体１０２の何れも樹脂により形成されるので、連結筐体１０３は滑らかに回動することができる。
【００４２】
次に、第１の筐体１０１をさらに回動することにより、折り畳み式携帯端末１００は閉じた状態になる。
【００４３】
次に、折り畳み式携帯端末１００におけるアンテナ電流の流れについて、図３を用いて説明する。図３は、縦開き状態の折り畳み式携帯端末１００の平面図である。なお、図３においては、説明の便宜上、連結筐体１０３の記載を省略する。
【００４４】
図３より、第２の筐体１０２の回路基板１１２には、給電部３０３が設けられる。また、第２の筐体１０２は、アンテナ３０４を有する。アンテナ３０４は、給電部３０３から給電されるとともに、回路基板３０１のグランド部及び回路基板１１２のグランド部をアンテナグランドとする。
【００４５】
ここで、第１のヒンジ部１０４は、金属材料により形成されるので、第１の筐体１０１の回路基板３０１のグランド部と接続部３０２を介して電気的に接続するとともに、第２の筐体１０２の回路基板１１２のグランド部と電気的に接続する。なお、第１のヒンジ部１０４は、回路基板３０１のグランド部及び回路基板１１２のグランド部に対して、静電容量結合により電気的に接続しても良い。
【００４６】
これにより、回路基板３０１のグランド部と回路基板１１２のグランド部とが電気的に接続され、回路基板３０１のグランド部と回路基板１１２のグランド部とがアンテナ３０４のグランドとして機能し、いわゆる筐体ダイポールアンテナを構成することができる。なお、アンテナ３０４を設ける位置は図３に限らず、任意の位置に設けることができる。
【００４７】
なお、従来は、回路基板３０１のグランド部と回路基板１１２のグランド部とは、同軸構造の同軸細線により電気的に接続されていたが、本実施の形態によれば、第１のヒンジ部１０４を金属材料により形成するので、同軸細線を不要にすることができる。
【００４８】
図４は、横開き状態の折り畳み式携帯端末１００の斜視図である。
【００４９】
折り畳み式携帯端末１００は、第１の筐体１０１と第２の筐体１０２とが回動して、閉じた状態と横開き状態になる。
【００５０】
折り畳み式携帯端末１００は、横開き状態において、図４に示すように、第１のヒンジ部１０４及び第２のヒンジ部１０５が設けられる第２の筐体１０２の箇所に、上方への突出部分（例えば、特許文献１のヒンジ部３及び突出部８に相当する部分）が無い。本実施の形態における折り畳み式携帯端末１００では、この突出部分を無くすることにより、ユーザが表示部４０４に向かって左手で操作ボタン４０３を操作する際に突出部分と左手とが干渉しないので、操作性を向上させることができる。
【００５１】
一方、筐体の突出部分を無くするためには、ヒンジ部を小さくする必要がある。本実施の形態の折り畳み式携帯端末１００では、第１のヒンジ部１０４を金属材料で形成することにより、ヒンジ部を小型化した場合でも、強度を高くすることができる。
【００５２】
このように、本実施の形態によれば、筐体を開閉自在に連結するヒンジ部の強度を高くすることができるとともに、筐体の開閉動作の際に筐体を滑らかに回動させることができ、ヒンジ部の強度の低下防止と回動動作の際の操作性の低下防止との両立を図ることができる。また、本実施の形態によれば、金属材料で形成したヒンジ部により第１の筐体のグランド部と第２の筐体のグランド部とを電気的に接続することにより、第１の筐体のグランド部と第２の筐体のグランド部とを電気的に接続する同軸線を不要にすることができるので、筐体内において同軸線を引き回す必要がなく、筐体内の部品の配置の自由度を大きくすることができる。
【００５３】
なお、本実施の形態において、回路基板にグランド部を設けたが、本発明はこれに限らず、回路基板とは別体のグランド部を設けても良い。また、本実施の形態において、第１の筐体と第２の筐体とが異なる２方向に回動する折り畳み式携帯端末について説明したが、本発明はこれに限らず、第１の筐体と第２の筐体とが１方向にのみ回動する折り畳み式携帯端末においてヒンジ部を小型化する際にも適用することができる。また、本実施の形態において、連結筐体を設けたが、本発明はこれに限らず、連結筐体を第１の筐体と一体に形成しても良い。
【産業上の利用可能性】
【００５４】
本発明は、特に第１の筐体と第２の筐体とが異なる２方向に回動する折り畳み式携帯端末に適用するのに好適である。
【符号の説明】
【００５５】
１００  折り畳み式携帯端末
１０１  第１の筐体
１０２  第２の筐体
１０３  連結筐体
１０４  第１のヒンジ部
１０５  第２のヒンジ部
１１０  突出部
１１１  保持部
１１２  回路基板
１２０  ヒンジ収納部
１２１  ヒンジ保持部
１２２  保持孔部
【図１】
2010245937.tif 000003
【図２】
2010245937.tif 000004
【図３】
2010245937.tif 000005
【図４】
2010245937.tif 000006